(57)【要約】受信機駆動のストリーミング方法が提供される。その方法は、受信機104で送信機102からのオリジナルの符号化映像ストリームを受信することを有する。利用可能ビットレートは受信機104で測定される。異なる符号化映像ストリーム及びスイッチングストリームの要求は、利用可能ビットレートに基づいて受信機104から送信機102に送信される。要求のスイッチングストリームは送信機102から受信機104で受信される。要求の符号化映像ストリームは送信機102から受信機104で受信される。スイッチングストリーム132a-132fは、符号化映像ストリーム130a-130cと別に格納され、スイッチングストリーム132a-132f及び符号化映像ストリーム130a-130cのそれぞれは、相互に別のトラックに格納される。このように、スイッチングストリーム132a-132fはオフラインで生成されてもよい。また、受信機104は、特別のスイッチングストリーム132a-132f及び符号化映像ストリーム130a-130cを要求することにより、送信機102により提供されるストリームを制御する。
2006511162.tif 000002
【特許請求の範囲】
【請求項１】
受信機で送信機からのオリジナルの符号化映像ストリームを受信し、
前記受信機で利用可能ビットレートを測定し、
前記利用可能ビットレートに基づいて、異なる符号化映像ストリーム及びスイッチングストリームの要求を前記受信機から前記送信機に送信し、
前記受信機で前記送信機からの前記要求のスイッチングストリームを受信し、
前記受信機で前記送信機からの前記要求の符号化映像ストリームを受信することを有する受信機駆動のストリーミング方法。
【請求項２】
請求項１に記載の方法であって、
前記受信機と前記送信機は、ネットワークを通じて相互に結合されている方法。
【請求項３】
請求項１に記載の方法であって、
前記送信機は、複数の映像ストリームのそれぞれについて、少なくとも３つの符号化映像ビットストリームと、少なくとも４つのスイッチングストリームとを格納するように動作可能な方法。
【請求項４】
請求項１に記載の方法であって、
前記送信機は、複数の映像ストリームのそれぞれについて、少なくとも３つの符号化映像ビットストリームと、少なくとも６つのスイッチングストリームとを格納するように動作可能な方法。
【請求項５】
送信機から受信機にオリジナルの符号化映像ストリームを送信し、
前記受信機からの異なる符号化映像ストリーム及びスイッチングストリームの要求を前記送信機で受信し、
前記送信機から前記受信機に前記要求のスイッチングストリームを送信し、
前記送信機から前記受信機に前記要求の符号化映像ストリームを送信することを有する受信機駆動のストリーミング方法。
【請求項６】
請求項５に記載の方法であって、
前記送信機で、複数のビットレートで複数の映像ストリームを符号化し、
前記送信機で、別のトラックに前記符号化映像ストリームのそれぞれを格納することを更に有する方法。
【請求項７】
請求項６に記載の方法であって、
前記格納されている符号化映像ストリームに対応する複数のビットレートを前記受信機に通知するデータを、前記送信機から前記受信機に送信することを更に有する方法。
【請求項８】
請求項５に記載の方法であって、
前記送信機で、別のトラックに複数のスイッチングストリームのそれぞれを格納することを更に有する方法。
【請求項９】
請求項５に記載の方法であって、
前記送信機で、複数の映像ストリームのそれぞれについて、少なくとも３つの符号化映像ストリームと、少なくとも４つのスイッチングストリームとを別のトラックに格納することを更に有する方法。
【請求項１０】
請求項５に記載の方法であって、
前記送信機で、複数の映像ストリームのそれぞれについて、少なくとも３つの符号化映像ストリームと、少なくとも６つのスイッチングストリームとを別のトラックに格納することを更に有する方法。
【請求項１１】
コンピュータ処理可能媒体と、
前記コンピュータ処理可能媒体に格納され、オリジナルの符号化映像ストリームを受信し、利用可能ビットレートを測定し、前記利用可能ビットレートに基づいて、異なる符号化映像ストリーム及びスイッチングストリームの要求を送信し、前記要求のスイッチングストリームを受信し、前記要求の符号化映像ストリームを受信するように動作可能なロジックと
を有する受信機駆動のストリーミングシステム。
【請求項１２】
コンピュータ処理可能媒体と、
前記コンピュータ処理可能媒体に格納され、オリジナルの符号化映像ストリームを送信し、異なる符号化映像ストリーム及びスイッチングストリームの要求を受信し、前記要求のスイッチングストリームを送信し、前記要求の符号化映像ストリームを送信するように動作可能なロジックと
を有する受信機駆動のストリーミングシステム。
【請求項１３】
請求項１２に記載のシステムであって、
前記ロジックは、複数のビットレートで複数の映像ストリームを符号化し、前記符号化映像ストリームのそれぞれを別のトラックに格納し、前記格納された映像ストリームに対応する複数のビットストリームを受信機に通知するデータを送信するように更に動作可能なシステム。
【請求項１４】
請求項１２に記載のシステムであって、
前記ロジックは、複数のスイッチングストリームのそれぞれを別のトラックに格納するように更に動作可能なシステム。
【請求項１５】
請求項１２に記載のシステムであって、
前記ロジックは、複数の映像ストリームのそれぞれについて、少なくとも３つの符号化映像ストリームと、少なくとも４つのスイッチングストリームとを別のトラックに格納するように更に動作可能なシステム。
【請求項１６】
請求項１２に記載のシステムであって、
前記ロジックは、複数の映像ストリームのそれぞれについて、少なくとも３つの符号化映像ストリームと、少なくとも６つのスイッチングストリームとを別のトラックに格納するように更に動作可能なシステム。
【請求項１７】
オリジナルの符号化映像ストリームと、
受信機で利用可能ビットレートを測定し、前記利用可能ビットレートに基づいて異なる映像符号化ストリーム及びスイッチングストリームの要求を送信する受信機により要求される異なる符号化映像ストリーム及びスイッチングストリームと
を有する受信機駆動の映像ストリーム。
【請求項１８】
請求項１７に記載の受信機駆動の映像ストリームであって、
前記オリジナルの符号化映像ストリーム、前記異なる符号化映像ストリーム及び前記スイッチングストリームは、少なくとも３つの符号化映像ストリームと少なくとも４つのスイッチングストリームとから選択される受信機駆動の映像ストリーム。
【請求項１９】
請求項１７に記載の受信機駆動の映像ストリームであって、
前記オリジナルの符号化映像ストリーム、前記異なる符号化映像ストリーム及び前記スイッチングストリームは、少なくとも３つの符号化映像ストリームと少なくとも６つのスイッチングストリームとから選択される受信機駆動の映像ストリーム。
【請求項２０】
請求項１７に記載の受信機駆動の映像ストリームであって、
前記オリジナルの符号化映像ストリーム、前記異なる符号化映像ストリーム及び前記スイッチングストリームのストリーミングは、異なるビットレートで符号化された複数の符号化映像ストリームのうちそれぞれ１つに対応する１つ以上のヒンティングトラックと、第１のビットレートでの符号化映像ストリームから第２のビットレートでの符号化映像ストリームに切り替えるための複数のスイッチングストリームのうち１つにそれぞれ対応する１つ以上のヒンティングトラックとに少なくとも一部に基づく受信機駆動の映像ストリーム。
【発明の詳細な説明】
【技術分野】
【０００１】
本発明は概してマルチトラックヒンティング(multi-track  hinting)及びストリーミングシステムに関するものであり、特に、スイッチングフレーム(switching  frame)及び方法を使用した非スケーラブル映像符号化の受信機駆動のストリーミングシステムのマルチトラックヒンティングに関するものである。
【背景技術】
【０００２】
ブロードバンドインターネット技術の急速な発展により、近い将来、映像ストリーミングが主要なインターネットアプリケーションになると考えられている。同様に、無線ローカルネットワーク(WLAN)製品の下落するコストは、消費者家庭でのその更なる使用を導いている。また、現在のほとんどのWLANは主にデータ伝送に使用されているが、IEEE802.11aやIEEE802.11gのような新たなWLAN技術により提供される更に高い大域は、最終的に映像伝送での更なる使用を導く可能性がある。更に、将来の無線映像アプリケーションは、有線バックボーンと無線の延長部分とを備えたオープンの階層的なインターネット型のネットワークで動作する必要がある。従って、ネットワークの有線部分と無線部分の双方を通じて、共通のプロトコルが伝送用に使用されなければならない。これらのプロトコルは、インターネットプロトコル(IP)に基づく既存のプロトコルの将来の拡張である可能性が高い。
【０００３】
従って、インターネット及び無線ネットワークの特有のリソース共有の性質のため、将来のマルチメディア通信は主に可変帯域チャネルを使用するであろう。そのため、映像コンテンツのストリーミングがこの種類のネットワークで実行されると、利用可能なリソースに合うように、瞬時データレートは頻繁に調整されなければならない。これは、スケーラブル符号化の手法により非常に柔軟的に実現され得る。スケーラブル映像符号化機構は、異種ネットワークでの伝送用の簡単且つ柔軟なフレームワークを提供することができる。
【０００４】
しかし、帯域の変化と装置の特性とユーザ要件とに対する所要の適応を提供するため、異なるデータレートを備えた複数の非スケーラブル映像符号化が、適切なストリーミングアーキテクチャを使用して伝送される必要がある。MPEG-4システムグループは、IPネットワークでの非スケーラブル符号化映像のストリーミング方策を開発及び標準化している。しかし、この方策は、チャネルの状態と複雑性の制約とユーザの嗜好とに効率的に適合することができない。更に、そのような従来のシステムは、映像ストリームに正確なスイッチングフレームを挿入して円滑なスイッチングを実現する役割をする送信機を必要とする。
【発明の開示】
【発明が解決しようとする課題】
【０００５】
本発明によれば、スイッチングフレーム及び方法を使用した非スケーラブル映像符号化の受信機駆動のストリーミングシステムのマルチトラックヒンティングが提供され、従来のシステム及び方法に関連する欠点及び問題を実質的に除去又は低減する。特に、各受信機は、その認識したネットワーク状態に最適なように、その受信映像を独自に適合してもよい。
【課題を解決するための手段】
【０００６】
本発明の一実施例によると、受信機駆動のストリーミング方法が提供される。その方法は、受信機で送信機からのオリジナルの符号化映像ストリームを受信することを有する。利用可能ビットレートは受信機で測定される。異なる符号化映像ストリーム及びスイッチングストリーム(switching  stream)の要求は、利用可能ビットレートに基づいて受信機から送信機に送信される。要求のスイッチングストリームは送信機から受信機で受信される。要求の符号化映像ストリームは送信機から受信機で受信される。
【０００７】
本発明のその他の実施例によると、受信機駆動のストリーミング方法が提供され、送信機から受信機にオリジナルの符号化映像ストリームを送信することを有する。異なる符号化映像ストリーム及びスイッチングストリームの要求は、受信機から送信機で受信される。要求のスイッチングストリームは送信機から受信機に送信される。要求の符号化映像ストリームは送信機から受信機に送信される。
【発明の効果】
【０００８】
本発明の１つ以上の実施例の技術的な利点は、改善したストリーミングシステムを提供することを有する。ある実施例では、異なるビットレートの符号化映像ストリーム及びスイッチングストリームは別のトラックに格納される。このように、送信機駆動のストリーミングシステムよりネットワークの変化に迅速に応じ、それによってより良い性能を実現することができる受信機駆動のストリーミングシステムが提供される。これは、各受信機がその認識したネットワーク状態に最適なようにその受信映像を独自に適合する機能のためである。
【０００９】
他の技術的な利点は、以下の図面、説明及び特許請求の範囲から当業者に容易に明らかになる。
【発明を実施するための最良の形態】
【００１０】
詳細な説明を始める前に、この特許文献を通じて使用される特定の用語及び語句の定義を示すことが有利なことがある。“含む”及び“有する”並びにその派生語は、限定のない包含を意味する。“又は”という用語は包含的であり、及び／又はを意味する。“関連する”及び“それと関連する”並びにその派生語は、含む、含まれる、相互接続する、含まれる、包含される、接続する、結合する、通信可能である、協力する、交互配置する、並列する、近い、義務がある、有する、所有する等を意味することがある。“コントローラ”という用語は、少なくとも１つの動作を制御する如何なる装置、システム又はその一部を意味し、そのような装置は、ハードウェア、ファームウェア若しくはソフトウェア又はその少なくとも２つの何らかの組み合わせで実装されてもよい。如何なる特定のコントローラに関連する機能は、ローカルであれリモートであれ、集中してもよく分散してもよい点に留意すべきである。特に、コントローラは、１つ以上のアプリケーションプログラム及び／又はオペレーティングシステムプログラムを実行する１つ以上のデータプロセッサと、関連の入出力装置及びメモリとを有してもよい。特定の用語及び語句の定義はこの特許文献を通じて提供され、ほとんどの場合ではないにしても多くの場合、このような定義がこのように定義された用語及び語句の以前の使用及び将来の使用に適用することを、当業者はわかる。
【００１１】
本発明及びその利点の更に完全な理解のため、添付図面と共に以下の説明について説明する。図面において同様の数字は同様の部分を示す。
【００１２】
以下の図１〜４、及びこの特許文献で本発明の原理を説明するために使用される多様な実施例は、一例としてのみであり、決して本発明の範囲を限定するように解釈されるべきではない。本発明の原理は、如何なる適切に構成されたストリーミングシステムに実装され得ることを、当業者は認識するであろう。
【００１３】
図１は、本発明の一実施例による受信機駆動のストリーミングシステム100を示したブロック図である。システム100は、送信機102と、少なくとも１つの受信機104と、送信機102と受信機104との間で通信を提供するネットワーク106とを有する。本発明の範囲を逸脱することなく、システム100は、ネットワーク106に結合された他の適当なサーバのように、ストリーミングシステムのその他の適切な構成要素を有してもよいことがわかる。
【００１４】
送信機102は、プロセッサ120と、メモリ122とを有する。プロセッサ120は、異なるビットレートで映像ストリームを符号化し、メモリ122の別のトラックに符号化映像ストリームを格納し、符号化映像ストリームについてスイッチングストリームを生成し、メモリ122の別のトラックにスイッチングストリームを格納するように動作可能である。送信機102はまた、符号化映像ストリーム及びスイッチングストリーム毎にヒンティングトラック(図１に図示なし)を生成して格納するように動作可能である。プロセッサ120はまた、ネットワーク106を通じて受信機104に符号化映像ストリーム及びスイッチングストリームを送信するように動作可能である。
【００１５】
メモリ122は、ランダムアクセスメモリ(RAM)、RAMと読み取り専用メモリ(ROM)との組み合わせ、又はその他の適切な形式のメモリを有してもよい。一実施例によると、メモリ122は、フラッシュメモリのような不揮発性RAMを有してもよい。メモリ122は、複数の符号化映像ストリーム130と、複数のスイッチングストリーム132とを格納するように動作可能である。
【００１６】
図示の実施例では、メモリ122は３つの符号化映像ストリーム130(第１のビットレートでの１つの符号化映像ストリーム130a(CVS-BR1)と、第２のビットレートでの１つの符号化映像ストリーム130b(CVS-BR2)と、第３のビットレートでの１つの符号化映像ストリーム130c(CVS-BR3))を格納している。更に、図示のメモリ122は６つのスイッチングストリーム132(３つの符号化映像ストリーム130の３つのビットレートの間の可能なビットレートの変換のそれぞれについて１つ)を格納している。しかし、本発明の範囲を逸脱することなく、メモリ122は如何なる適切な数の符号化映像ストリーム130及びスイッチングストリーム132を格納してもよい。
【００１７】
例えば、メモリ122が３つの符号化映像ストリーム130を格納している実施例であっても、メモリ122は４つのみのスイッチングストリーム132a、c、d、fを格納してもよい。この実施例では、例えば符号化映像ストリーム130aから符号化映像ストリーム130cに直接変更されることを許可する代わりに、符号化映像ストリーム130は隣接した符号化映像ストリーム130にのみ変更可能である。このように、符号化映像ストリーム130aは最初に符号化映像ストリーム130bに変更され、その後符号化映像ストリーム130cに変更される。
【００１８】
各受信機104は、ネットワーク106を通じて送信機102から符号化映像ストリーム130を受信し、ネットワーク106から受信機104の利用可能ビットレートを測定し、利用可能ビットレートに基づいて、送信機102からスイッチングストリーム132及び異なる符号化ビットストリーム130を要求するように動作可能である。このように、各受信機104は、その受信機104のネットワーク状態に基づいて、送信機102により提供されるその映像ストリームを独自に最適化してもよい。ここで使用される“各”は、特定のアイテムの少なくともサブセットのうちのそれぞれ１つを意味する。
【００１９】
一実施例において、ネットワーク106は、インターネット又はその他の適切なネットワークのようなパケットデータネットワークを有する。しかし、ネットワーク106はまた、ローカルエリアネットワーク(LAN)、広域ネットワーク(WAN)又は２つ以上のコンピュータを接続することにより作られたその他の通信及びデータ交換システムのような、如何なるコンピュータネットワークにある如何なる相互接続を有してもよい。
【００２０】
送信機102と受信機104は、通信回線108でネットワーク106と通信するように動作可能であり、通信回線108は、データ伝送をサポート可能な如何なる種類の通信リンクでもよい。一実施例では、通信回線108は、サービス統合デジタル網(ISDN:Integrated  Services  Digital  Network)、非対称型デジタル加入者回線(ADSL:Asymmetric  Digital  Subscriber  Line)、T1若しくはT3通信回線、ハードウェア回線、又は電話リンクを単独で又は結合して有してもよい。通信回線108は他の適切な種類のデータ通信リンクを有してもよいことがわかる。通信回線108はまた、ネットワーク106と送信機102と受信機104との間で複数の中間サーバを接続してもよい。
【００２１】
送信機102及び／又は受信機104の少なくとも一部は、媒体に符号化されたロジックを有してもよい。ロジックはプログラムタスクを実行する機能命令を有する。媒体は、コンピュータディスク若しくはコンピュータ読取可能媒体、特定用途向け集積回路、フィールド・プログラマブル・ゲート・アレイ、デジタル信号プロセッサ、他の適切な特定用途若しくは汎用プロセッサ、伝送媒体、又はロジックが符号化及び使用可能な他の適切な媒体を有する。
【００２２】
図２Ａ−Ｂは、本発明の一実施例によるマルチトラックヒンティングのファイルフォーマット142を示したブロック図である。説明の目的で、図２Ａは符号化映像ストリーム130に関するファイルフォーマット142を示しており、図２Ｂはスイッチングストリーム132に関するファイルフォーマット142を示している。しかし、ファイルフォーマットは２つの図の組み合わせを有することがわかる。
【００２３】
ファイルフォーマット142の図示の実施例は、送信機102が３つの符号化映像ストリーム130と６つのスイッチングストリーム132とを格納する実施例に対応する。このように、異なる数の符号化映像ストリーム130及び／又はスイッチングストリーム132に適合するように、ファイルフォーマット142が変更されてもよいことがわかる。
【００２４】
３つの符号化映像ストリーム130に加えて、図２Ａのファイルフォーマット142は、３つのヒンティングトラック(hinting  track)160を有する。矢印で示すように、各ヒンティングトラック160は、符号化映像ストリーム130の１つに対応する。
【００２５】
同様に、６つのスイッチングストリーム132に加えて、図２Ｂのファイルフォーマット142は、６つのヒンティングトラック162を有する。矢印で示すように、各ヒンティングトラック162は、スイッチングストリーム132の１つに対応する。このように、結合したファイルフォーマット142は、３つのストリーム130、132のそれぞれについて別のヒンティングトラック160、162を提供する。
【００２６】
図３は、本発明の一実施例による送信機102の視点からの受信機駆動のストリーミング方法を示したフローチャートである。その方法はステップ200で始まり、送信機102は受信機104に送信するために映像ストリームを符号化する。ステップ202において、送信機102は符号化映像ストリーム130をメモリ122に格納し、符号化映像ストリーム130のヒンティングトラックも格納する。
【００２７】
判定ステップ204において、全ての所望のビットレートでの全ての符号化映像ストリーム130がメモリ122に格納されたか否かに関して決定が行われる。全ての所望のビットレートで映像ストリームが符号化されて格納されていない場合、その方法は判定ステップ204からNoの分岐に進み、ステップ200に戻り、送信機102はその他のビットレートで映像ストリームを符号化し、ステップ202に進み、送信機102はその他の符号化映像ストリーム130と別のトラックに符号化映像ストリーム130を格納し、符号化映像ストリーム130のヒンティングトラックも格納する。
【００２８】
しかし、映像ストリームが全ての所望のビットレートで別のトラックに符号化されて格納された場合、その方法は判定ステップ204からステップ206へのYesの分岐に進む。ステップ206において、送信機102は、符号化映像ストリーム130の間のスイッチング用のスイッチングストリーム132をメモリ122に格納し、スイッチングストリーム132のヒンティングトラックも格納する。
【００２９】
判定ステップ208において、全ての所望のスイッチングストリーム132がメモリ122に格納されたか否かに関して決定が行われる。全ての所望のスイッチングストリームが格納されていない場合、その方法は判定ステップ208からNoの分岐に進み、ステップ206に戻り、送信機102はメモリ122のその他のスイッチングストリーム132と別のトラックに、更なる符号化映像ストリーム130の間のスイッチング用のその他のスイッチングストリーム132を格納し、スイッチングストリーム132のヒンティングトラックも格納する。
【００３０】
しかし、全ての所望のスイッチングストリームが別のトラックに格納された場合、その方法は判定ステップ208からステップ210へのYesの分岐に進む。ステップ210において、送信機102は、オリジナルの符号化映像ストリーム130を受信機104に送信する。更に、送信機102は、格納されている符号化映像ストリーム130に対応する異なるビットレートを受信機104に通知するデータを受信機104に送信する。
【００３１】
判定ステップ212において、異なる符号化映像ストリーム130の要求が受信機104から受信されたか否かに関して決定が行われる。異なる符号化映像ストリーム130に加えて、要求は、オリジナルの符号化映像ストリーム130と要求の符号化映像ストリーム130との差に対応するスイッチングストリーム132の要求を有する。そのような要求が受信されない場合、その方法は判定ステップ212からNoの分岐に進み、終了する。しかし、そのような要求が受信された場合、その方法は判定ステップ212からステップ214へのYesの分岐に進む。
【００３２】
ステップ216において、送信機102は、要求のスイッチングストリーム132を受信機104に送信する。ステップ218において、送信機102は、要求の符号化映像ストリーム130を受信機104に送信し、その時点でその方法は判定ステップ212に戻り、その他の符号化映像ストリーム130についての更なる要求が受信されたか否かを決定する。
【００３３】
図４は、本発明の一実施例による受信機104の視点からの受信機駆動のストリーミング方法を示したフローチャートである。その方法はステップ300で始まり、受信機104は、送信機102からオリジナルの符号化映像ストリーム130を受信する。更に、受信機104は、送信機104に格納されている符号化映像ストリーム130に対応する異なるビットレートを受信機104に通知するデータを受信する。ステップ302において、受信機104はネットワーク106から受信機104の利用可能ビットレートを測定する。
【００３４】
判定ステップ304において、利用可能ビットレートに基づいて、受信機104が符号化映像ストリーム130のビットレートの切り替えを要求するべきか否かに関して決定が行われる。受信機104がビットレートの切り替えを要求しないと決定した場合、その方法は判定ステップ304からNoの分岐に進み、ステップ302に戻り、利用可能ビットレートが測定され続ける。しかし、受信機104がビットレートの切り替えを要求するように決定した場合、その方法は判定ステップ304からステップ306へのYesの分岐に進む。
【００３５】
ステップ306において、受信機104は、利用可能ビットレートに基づく要求の符号化映像ストリーム130で、異なる符号化映像ストリーム130の要求を送信機102に送信する。異なる符号化映像ストリーム130に加えて、要求は、オリジナルの符号化映像ストリーム130と要求の符号化映像ストリーム130との間の差に対応するスイッチングストリーム132の要求を有する。ステップ308において、受信機104は送信機102から要求のスイッチングストリーム132を受信する。ステップ310において、受信機104は要求の符号化映像ストリーム130を受信し、その後、その方法はステップ302に戻り、利用可能ビットレートが測定され続ける。
【００３６】
本発明についていくつかの実施例を用いて説明したが、多様な変更及び変形が当業者に提示され得る。本発明は特許請求の範囲内にあるそのような変更及び変形を含むことを意図する。
【図面の簡単な説明】
【００３７】
【図１】本発明の一実施例による受信機駆動のストリーミングシステムを示したブロック図
【図２Ａ】本発明の一実施例によるマルチトラックヒンティングのファイルフォーマットを示したブロック図
【図２Ｂ】本発明の一実施例によるマルチトラックヒンティングのファイルフォーマットを示したブロック図
【図３】本発明の一実施例による図１の送信機の視点からの受信機駆動のストリーミング方法を示したフローチャート
【図４】本発明の一実施例による図１の受信機の１つの視点からの受信機駆動のストリーミング方法を示したフローチャート
【図１】
2006511162.tif 000003
2006511162.tif 000004
2006511162.tif 000005
【図３】
2006511162.tif 000006
【図４】
2006511162.tif 000007
【国際調査報告】
2006511162.tif 000008
2006511162.tif 000009
2006511162.tif 000010